(57)【要約】【課題】電源ドライバ、その駆動方法、及び電源ドライバを備える有機発光表示装置を提供する。【解決手段】ディスプレイパネル用ゲートドライバの駆動に必要な電圧を印加する電源ドライバであって、バッテリー１から電圧を印加されて第１電圧を生成する第１ブースタ１１０と、第１電圧または外部から生成されてディスプレイパネル３に印加される第２電圧のうちいずれか一つを選択する電圧選択部１２０と、電圧選択部１２０の出力を印加されてゲートドライバ２の駆動に必要な電圧を生成する第２ブースタ１３０と、を備える電源ドライバである。これによれば、バッテリー電圧に関係なく、ゲートドライバの駆動に必要な電圧を安定的に提供できる。【選択図】図１
2011150283.tif 000002
【特許請求の範囲】
【請求項１】
ディスプレイパネル用ゲートドライバの駆動に必要な電圧を印加する電源ドライバであって、
バッテリーからの電圧が印加されて第１電圧を生成する第１ブースタと、
前記第１電圧、または前記電源ドライバの外部で生成されて前記ディスプレイパネルに印加される第２電圧のうちのいずれか一つを選択し、当該選択した電圧を出力する電圧選択部と、
前記電圧選択部の出力が印加されて、前記ゲートドライバの駆動に必要な電圧を生成する第２ブースタと、を備えることを特徴とする電源ドライバ。
【請求項２】
前記電圧選択部は、前記ディスプレイパネルの動作初期において、前記第１電圧を選択し、前記第２電圧が安定化した後に、前記第２電圧を選択することを特徴とする請求項１に記載の電源ドライバ。
【請求項３】
前記第２電圧を選択する時間は、既定の時間であることを特徴とする請求項２に記載の電源ドライバ。
【請求項４】
前記第２電圧の波形を検知する波形検知部をさらに備え、
前記波形検知部の検知結果によって、前記第２電圧を選択する時間を決定することを特徴とする請求項２に記載の電源ドライバ。
【請求項５】
前記電圧選択部は、
前記第１ブースタと前記第２ブースタとの間に連結される第１スイッチング素子と、
前記第２電圧を供給する配線と前記第２ブースタとの間に連結される第２スイッチング素子と、
前記第１スイッチング素子及び前記第２スイッチング素子のスイッチング動作を制御するスイッチング制御部と、を備えることを特徴とする請求項２〜４のいずれか１項に記載の電源ドライバ。
【請求項６】
前記ディスプレイパネルの動作が終了する時、前記電圧選択部は、前記選択を前記第２電圧から前記第１電圧に変更することを特徴とする請求項２に記載の電源ドライバ。
【請求項７】
前記電圧選択部が前記第２電圧を選択する間に、前記第１ブースタをオフ状態にすることを特徴とする請求項１に記載の電源ドライバ。
【請求項８】
ディスプレイパネル用ゲートドライバの駆動に必要な電圧を印加する電源ドライバの駆動方法であって、
バッテリーからの電圧が印加されてブースタで第１電圧を生成するステップと、
前記電源ドライバの外部で生成された第２電圧を前記ディスプレイパネルおよび前記電源ドライバに印加するステップと、
前記第１電圧または前記第２電圧のうちのいずれか一つを選択するステップと、
前記選択した電圧を使用して、前記ゲートドライバの駆動に必要な電圧を生成するステップと、を含むことを特徴とする電源ドライバの駆動方法。
【請求項９】
前記第１電圧または前記第２電圧のうちいずれか一つを選択するステップは、
前記ディスプレイパネルの動作初期において、前記第１電圧を選択し、前記第２電圧が安定化した後に、前記第２電圧を選択することを特徴とする請求項８に記載の電源ドライバの駆動方法。
【請求項１０】
前記第２電圧を選択する時間は、既定の時間であることを特徴とする請求項９に記載の電源ドライバの駆動方法。
【請求項１１】
前記第２電圧を選択する時間は、前記第２電圧の波形を検知した結果によって決定されることを特徴とする請求項９に記載の電源ドライバの駆動方法。
【請求項１２】
前記ディスプレイパネルの動作が終了する時、前記選択を前記第２電圧から前記第１電圧に変更するステップをさらに含むことを特徴とする請求項９に記載の電源ドライバの駆動方法。
【請求項１３】
前記第２電圧を選択する間に、前記ブースタをオフ状態にさせるステップをさらに含むことを特徴とする請求項８に記載の電源ドライバの駆動方法。
【請求項１４】
複数の画素回路を備えるディスプレイパネルと、
前記ディスプレイパネルを駆動するゲートドライバと、
前記ゲートドライバに必要な電圧を供給する第１電源ドライバと、
前記第１電源ドライバに電圧を供給するバッテリーと、
前記ディスプレイパネルに電源電圧を供給する第２電源ドライバと、を備え、
前記第１電源ドライバは、前記バッテリーからの電圧または前記第２電源ドライバからの電圧のうちいずれか一つを使用して、前記ゲートドライバに必要な電圧を生成することを特徴とする有機発光表示装置。
【請求項１５】
前記第１電源ドライバは、
前記バッテリーからの電圧が印加されて第１電圧を生成する第１ブースタと、
前記第１電圧または前記電源電圧のうちいずれか一つを選択し、当該選択した電圧を出力する電圧選択部と、
前記電圧選択部の出力が印加されて、前記ゲートドライバの駆動に必要な電圧を生成する第２ブースタと、を備えることを特徴とする請求項１４に記載の有機発光表示装置。
【請求項１６】
前記電圧選択部は、前記ディスプレイパネルの動作初期において、前記第１電圧を選択し、前記電源電圧が安定化した後に、前記電源電圧を選択することを特徴とする請求項１５に記載の有機発光表示装置。
【請求項１７】
前記電源電圧を選択する時間は、既定の時間であることを特徴とする請求項１５に記載の有機発光表示装置。
【請求項１８】
前記電源電圧の波形を検知する波形検知部をさらに備え、前記波形検知部の検知結果によって、前記電源電圧の選択する時間を決定することを特徴とする請求項１５に記載の有機発光表示装置。
【請求項１９】
前記ディスプレイパネルの動作が終了する時、前記電圧選択部は、前記選択を前記第２電圧から前記第１電圧に変更することを特徴とする請求項１５に記載の有機発光表示装置。
【請求項２０】
前記電圧選択部が前記電源電圧を選択する間に、前記第１ブースタをオフ状態にすることを特徴とする請求項１４に記載の有機発光表示装置。
【発明の詳細な説明】
【技術分野】
【０００１】
本発明は、電源ドライバ、その駆動方法、及び電源ドライバを備える有機発光表示装置に関する。
【背景技術】
【０００２】
平板ディスプレイ装置を駆動するためには、多様な大きさの電圧を必要とする。例えば、能動型有機発光表示装置（ＡＭＯＬＥＤ：Ａｃｔｉｖｅ  Ｍａｔｒｉｘ  Ｏｒｇａｎｉｃ  Ｌｉｇｈｔ  Ｅｍｉｔｔｉｎｇ  Ｄｉｓｐｌａｙ）を含む携帯用装置は、ディスプレイパネルに備えられた画素回路の駆動に必要な電圧である第１電源電圧ＥＬＶＤＤ及び第２電源電圧ＥＬＶＳＳを必要とする。また、各画素回路に含まれているトランジスタのスイッチングのための第１駆動電圧ＶＧＨと第２駆動電圧ＶＧＬとを必要とする。
【０００３】
第１電源電圧ＥＬＶＤＤ及び第２電源電圧ＥＬＶＳＳは、有機発光表示装置とは別途に備えられた電源ＩＣによって生成されてディスプレイパネルに印加される。一方、第１駆動電圧ＶＧＨと第２駆動電圧ＶＧＬとは、ディスプレイパネル内に備えられたＬＴＰＳ（Ｌｏｗ  Ｔｅｍｐｅｒａｔｕｒｅ  Ｐｏｌｙｓｉｌｉｃｏｎ）ゲートドライバを駆動するための電源ドライバで生成される。
【０００４】
この時、電源ドライバは、携帯電話のような携帯用装置に使われるバッテリーから電圧を印加され、必要とする電圧、すなわち、第１駆動電圧ＶＧＨと第２駆動電圧ＶＧＬとに変換する。
【０００５】
出力電圧を所定の電圧値まで安定して立ち上げる技術としては、たとえば下記特許文献１の電源電圧変換回路が知られている。
【先行技術文献】
【特許文献】
【０００６】
【特許文献１】特開２００５−２８７１４２号公報
【発明の概要】
【発明が解決しようとする課題】
【０００７】
本発明が解決しようとする技術的課題は、バッテリーの電圧に関係なく、ゲートドライバの駆動に必要な電圧を安定的に提供できる電源ドライバ、その駆動方法、及び電源ドライバを備える有機発光表示装置を提供することである。
【課題を解決するための手段】
【０００８】
前記課題を解決するために、本発明の一側面は、バッテリーからの電圧が印加されてディスプレイパネル用ゲートドライバの駆動に必要な電圧を印加する電源ドライバであって、前記バッテリーからの電圧が印加されて、第１電圧を生成する第１ブースタと、前記第１電圧、または外部で生成されて前記ディスプレイパネルに印加される第２電圧のうちいずれか一つを選択し、当該選択した電圧を出力する電圧選択部と、前記電圧選択部の出力が印加されて、前記ゲートドライバの駆動に必要な電圧を生成する第２ブースタと、を備えることを特徴とする電源ドライバを提供する。
【０００９】
このような本発明の他の特徴によれば、前記電圧選択部は、前記ディスプレイパネルの動作初期において、前記第１電圧を選択し、前記第２電圧が安定化した後に、前記第２電圧を選択できる。
【００１０】
本発明のさらに他の特徴によれば、前記第２電圧を選択する時間は、既定の時間でありうる。
【００１１】
本発明のさらに他の特徴によれば、前記第２電圧の波形を検知する波形検知部をさらに備え、前記波形検知部の検知結果によって、前記第２電圧を選択する時間を決定できる。
【００１２】
本発明のさらに他の特徴によれば、前記電圧選択部は、前記第１ブースタと前記第２ブースタとの間に連結される第１スイッチング素子と、前記第２電圧を供給する配線と前記第２ブースタとの間に連結される第２スイッチング素子と、前記第１スイッチング素子及び前記第２スイッチング素子のスイッチング動作を制御するスイッチング制御部と、を備えうる。
【００１３】
本発明のさらに他の特徴によれば、前記ディスプレイパネルの動作が終了する時、前記電圧選択部は、前記選択を前記第２電圧から前記第１電圧に変更できる。
【００１４】
本発明のさらに他の特徴によれば、前記電圧選択部が前記第２電圧を選択する間に、前記第１ブースタをオフ状態にさせうる。
【００１５】
前記課題を解決するために、本発明の他の側面は、バッテリーからの電圧が印加されて、ディスプレイパネル用ゲートドライバの駆動に必要な電圧を印加する電源ドライバの駆動方法であって、前記バッテリーからの電圧が印加されてブースタで第１電圧を生成するステップと、外部で生成された第２電圧を前記ディスプレイパネルおよび前記電源ドライバに印加するステップと、前記第１電圧または前記第２電圧のうちいずれか一つを選択するステップと、前記選択した電圧を使用して、前記ゲートドライバの駆動に必要な電圧を生成するステップと、を含むことを特徴とする電源ドライバの駆動方法を提供する。
【００１６】
このような本発明の他の特徴によれば、前記第１電圧または前記第２電圧のうちいずれか一つを選択するステップは、前記ディスプレイパネルの動作初期において、前記第１電圧を選択し、前記第２電圧が安定化した後に前記第２電圧を選択できる。
【００１７】
本発明のさらに他の特徴によれば、前記第２電圧を選択する時間は、既定の時間でありうる。
【００１８】
本発明のさらに他の特徴によれば、前記第２電圧を選択する時間は、前記第２電圧の波形を検知した結果によって決定されうる。
【００１９】
本発明のさらに他の特徴によれば、前記ディスプレイパネルの動作が終了する時、前記選択を前記第２電圧から前記第１電圧に変更するステップをさらに含みうる。
【００２０】
本発明のさらに他の特徴によれば、前記第２電圧を選択する間に、前記ブースタをオフ状態にするステップをさらに含みうる。
【００２１】
前記課題を達成するために、本発明の他の側面は、複数の画素回路を備えるディスプレイパネルと、前記ディスプレイパネルを駆動するゲートドライバと、前記ゲートドライバに必要な電圧を供給する第１電源ドライバと、前記第２電源ドライバに電圧を供給するバッテリーと、前記ディスプレイパネルに電源電圧を供給する第２電源ドライバと、を備え、前記第１電源ドライバは、前記バッテリーからの電圧、または前記第２電源ドライバからの電圧のうちいずれか一つを使用して、前記ゲートドライバに必要な電圧を生成することを特徴とする有機発光表示装置を提供する。
【００２２】
このような本発明の他の特徴によれば、前記第１電源ドライバは、前記バッテリーからの電圧が印加されて第１電圧を生成する第１ブースタと、前記第１電圧または前記電源電圧のうちいずれか一つを選択し、当該選択した電圧を出力する電圧選択部と、前記電圧選択部の出力を印加されて、前記ゲートドライバの駆動に必要な電圧を生成する第２ブースタと、を備えうる。
【００２３】
本発明のさらに他の特徴によれば、前記電圧選択部は、前記ディスプレイパネルの動作初期において、前記第１電圧を選択し、前記電源電圧が安定化した後に前記電源電圧を選択できる。
【００２４】
本発明のさらに他の特徴によれば、前記電源電圧を選択する時間は、既定の時間でありうる。
【００２５】
本発明のさらに他の特徴によれば、前記電源電圧の波形を検知する波形検知部をさらに備え、前記波形検知部の検知結果によって、前記電源電圧を選択する時間を決定できる。
【００２６】
本発明のさらに他の特徴によれば、前記ディスプレイパネルの動作が終了する時、前記電圧選択部は、前記選択を前記第２電圧から前記第１電圧に変更できる。
【００２７】
本発明のさらに他の特徴によれば、前記電圧選択部が前記電源電圧を選択する間に、前記第１ブースタをオフ状態にさせうる。
【発明の効果】
【００２８】
本発明によれば、バッテリーの電圧に関係なく、ゲートドライバの駆動に必要な電圧を安定的に提供できる。
【図面の簡単な説明】
【００２９】
【図１】本発明の一実施形態による電源ドライバ及びその周辺構成を示すブロック図である。
【図２】本発明の一実施形態による電圧選択部を示す図である。
【図３】本発明の他の実施形態による電圧選択部を示す図である。
【図４】本発明の一実施形態による有機発光表示装置を示す図である。
【発明を実施するための形態】
【００３０】
以下、添付した図面を参照して、本発明の実施形態について詳細に説明する。
【００３１】
［電源ドライバの構成］
図１は、本発明の一実施形態による電源ドライバ及びその周辺構成を示すブロック図である。
【００３２】
図１を参照すれば、本実施形態による電源ドライバ１００は、第１ブースタ１１０、電圧選択部１２０、第２ブースタ１３０、第３ブースタ１４０を備える。また、電源ドライバ１００の外部には、バッテリー１、ゲートドライバ２、ディスプレイパネル３が備えられる。
【００３３】
バッテリー１は、電源ドライバ１００に電源を供給する。バッテリー１は、鉛蓄電池、ニッケルカドミウム（ＮｉＣｄ）電池、リチウムイオン（Ｌｉ−ｉｏｎ）電池、ニッケル水素（ＮｉＭＨ）蓄電池、リチウムイオンポリマー（Ｌｉ−ｉｏｎ  Ｐｏｌｙｍｅｒ）電池など、充電可能な二次電池が使われうる。また、これに限定されず、乾電池のような一次電池が使われうる。
【００３４】
ゲートドライバ２は、電源ドライバ１００から電源を供給されて走査信号を生成し、ゲートドライバ２に連結された複数の走査ラインに順次に生成した走査信号を供給する。ゲートドライバ２は、走査信号を走査ラインに順次に供給するために、シフトレジスタを備えうる。
【００３５】
ディスプレイパネル３は、ゲートドライバ２によって走査信号を供給される。また、ディスプレイパネル３内に備えられた画素回路には、電源ドライバ１００と別途に備えられた電源ＩＣから供給される第１電源電圧ＥＬＶＤＤ及び第２電源電圧ＥＬＶＳＳが印加される。
【００３６】
電源ドライバ１００は、ディスプレイパネル用ゲートドライバ２の駆動に必要な電圧を生成する。電源ドライバ１００は、第１ブースタ１１０、電圧選択部１２０、第２ブースタ１３０、及び第３ブースタ１４０を備えうる。
【００３７】
第１ブースタ１１０は、バッテリー出力電圧Ｖｂｏｕｔを印加され、バッテリー出力電圧Ｖｂｏｕｔを使用して第１電圧Ｖ１を生成する。第１電圧Ｖ１は、バッテリー出力電圧Ｖｂｏｕｔより大きい電圧でありうる。したがって、第１ブースタ１１０は、出力電圧が入力電圧より大きいブーストコンバータ（昇圧型コンバータ）が使われうる。バッテリー１の種類は、必ずしも既定のものではないので、バッテリー１の種類によってバッテリー出力電圧Ｖｂｏｕｔの大きさは、異なる場合がありうる。したがって、第１ブースタ１１０は、多様な範囲の電圧に対して第１電圧Ｖ１を生成できるように構成されなければならない。
【００３８】
電圧選択部１２０は、第１ブースタ１１０と第２ブースタ１３０との間に備えられ、電圧選択部１２０には、第１ブースタ１１０の出力電圧である第１電圧Ｖ１と、外部の電源ＩＣで生成された第１電源電圧ＥＬＶＤＤとが印加される。電圧選択部１２０は、第１電圧Ｖ１及び第１電源電圧ＥＬＶＤＤのうちからいずれか一つの電圧を選択して、第２ブースタ１３０に出力する。すなわち、電圧選択部１２０の出力電圧Ｖｏｕｔは、第１電圧Ｖ１または第１電源電圧ＥＬＶＤＤのうちいずれか一つでありうる。
【００３９】
電圧選択部１２０は、前記のような二つの電圧のうちいずれか一つを選択するために、第１スイッチング素子ＳＷ１、第２スイッチング素子ＳＷ２、及びスイッチング制御部１２１を備えうる。
【００４０】
第１スイッチング素子ＳＷ１は、第１ブースタ１１０の出力端と第２ブースタ１３０の入力端との間に連結される。
【００４１】
第２スイッチング素子ＳＷ２は、第１電源電圧ＥＬＶＤＤを供給する配線または前記第１電源電圧ＥＬＶＤＤを出力する外部の電源ＩＣの出力端子と、第２ブースタ１３０の入力端との間に連結される。
【００４２】
スイッチング制御部１２１は、第１スイッチング素子ＳＷ１のスイッチング動作を制御する第１制御信号ＣＳ１と、第２スイッチング素子ＳＷ２のスイッチング動作を制御する第２制御信号ＣＳ２とを生成する。第１電圧Ｖ１または第１電源電圧ＥＬＶＤＤのうちいずれか一つの電圧が第２ブースタ１３０に印加されなければならないので、スイッチング制御部１２１は、第１スイッチング素子ＳＷ１と第２スイッチング素子ＳＷ２のうちのどちらか一方がオン（Ｏｎ）状態となるようにＣＳ１とＣＳ２とを制御する。
【００４３】
スイッチング制御部１２１は、既定の時間によって、あるいは第１電源電圧ＥＬＶＤＤの波形が安定化した程度に応じて、第１スイッチング素子ＳＷ１または第２スイッチング素子ＳＷ２のスイッチング動作を制御する。
【００４４】
第２ブースタ１３０は、電圧選択部１２０の出力電圧Ｖｏｕｔが印加されて、ゲートドライバ２の駆動に必要な第１駆動電圧ＶＧＨを生成する。第２ブースタ１３０の出力電圧である第１駆動電圧ＶＧＨは、入力電圧である電圧選択部１２０の出力電圧Ｖｏｕｔより大きい。したがって、第２ブースタ１３０は、ブーストコンバータが使われうる。
【００４５】
第３ブースタ１４０は、バッテリー出力電圧Ｖｂｏｕｔと第２ブースタ１３０の出力電圧である第１駆動電圧ＶＧＨとが印加されて、ゲートドライバ２の駆動に必要な第２駆動電圧ＶＧＬを生成する。第３ブースタ１４０の出力電圧である第２駆動電圧ＶＧＬは、入力電圧である第１駆動電圧ＶＧＨと極性が逆の値でありうる。したがって、第３ブースタ１４０は、バックコンバータ（反転コンバータ）が使われうる。
【００４６】
以下、電圧選択部の詳細な実施形態について説明する。
【００４７】
図２は、本発明の一実施形態による電圧選択部１２０を示す図である。
【００４８】
電圧選択部１２０は、スイッチング素子としてトランジスタを使用できる。図２を参照すれば、第１スイッチング素子ＳＷ１及び第２スイッチング素子ＳＷ２は、それぞれＰＭＯＳトランジスタが使われる。
【００４９】
第１スイッチング素子ＳＷ１は、第１ブースタ１１０の出力端と電圧選択部１２０の出力端との間に連結される。第１スイッチング素子ＳＷ１のゲート電極には、第１制御信号ＣＳ１が印加され、第１制御信号ＣＳ１がローレベルである時、第１電圧Ｖ１を第２ブースタ１３０に印加させる。
【００５０】
第２スイッチング素子ＳＷ２は、第１電源電圧ＥＬＶＤＤ供給用配線と電圧選択部１２０の出力端との間に連結される。第２スイッチング素子ＳＷ２のゲート電極には、第２制御信号ＣＳ２が印加され、第２制御信号ＣＳ２がローレベルである時、第１電源電圧ＥＬＶＤＤを第２ブースタ１３０に印加させる。
【００５１】
本実施形態では、第１スイッチング素子ＳＷ１及び第２スイッチング素子ＳＷ２としてＰＭＯＳトランジスタが使われたが、これに限定されるものではない。すなわち、第１スイッチング素子ＳＷ１及び第２スイッチング素子ＳＷ２としてＮＭＯＳトランジスタが使われ、ＭＯＳトランジスタだけでなく、スイッチング動作を行える多様なスイッチング素子が使われることもある。
【００５２】
図３は、本発明の他の実施形態による電圧選択部１２０を示す図である。
【００５３】
電圧選択部１２０は、スイッチング素子としてトランジスタを使用できる。図３を参照すれば、第１スイッチング素子ＳＷ１は、ＰＭＯＳトランジスタを使用し、第２スイッチング素子ＳＷ２は、ＮＭＯＳトランジスタを使用する。
【００５４】
第１スイッチング素子ＳＷ１及び第２スイッチング素子ＳＷ２の連結関係は、図２の実施形態と同一であるので、ここでは説明を省略する。
【００５５】
第１スイッチング素子ＳＷ１と第２スイッチング素子ＳＷ２とは、オン状態となる制御信号の論理レベルが異なる。すなわち、第１スイッチング素子ＳＷ１は、ゲート電極にローレベル信号が印加される時にオン状態となり、第２スイッチング素子ＳＷ２は、ゲート電極にハイレベル信号が印加される時にオン状態となる。したがって、第１スイッチング素子ＳＷ１及び第２スイッチング素子ＳＷ２は、同じ制御信号である第１制御信号ＣＳ１を印加して、第１スイッチング素子ＳＷ１と第２スイッチング素子ＳＷ２のうちのいずれか一方をオン状態にできる。
【００５６】
本実施形態では、第１スイッチング素子ＳＷ１としてＰＭＯＳトランジスタを使用し、第２スイッチング素子ＳＷ２としてＰＭＯＳトランジスタを使用したが、これに限定されるものではない。すなわち、第１スイッチング素子ＳＷ１としてＮＭＯＳトランジスタを使用し、第２スイッチング素子ＳＷ２としてＰＭＯＳトランジスタが使われることもある。また、同じ制御信号に対してオン／オフ状態が逆であるスイッチング素子ならば、いずれのものでも使われうる。
【００５７】
以下、前述した電源ドライバの駆動方法について説明する。
【００５８】
［電源ドライバの駆動方法］
ユーザによってディスプレイパネル３が動作するとき、例えば、ユーザが携帯電話のボタンを押してディスプレイ画面に画像を表示するとき、本実施形態による電源ドライバ１００は、ディスプレイパネル３の動作に必要な電圧を生成する。
【００５９】
電源ドライバ１００と別途に備えられた電源ＩＣ（図示せず）では、ディスプレイパネル３に備えられた画素回路を駆動するため、第１電源電圧ＥＬＶＤＤと第２電源電圧ＥＬＶＳＳとを生成し、前記生成された第１電源電圧ＥＬＶＤＤと第２電源電圧ＥＬＶＳＳとをディスプレイパネル３に印加する。
【００６０】
これと同時に、電源ドライバ１００は、バッテリー１からバッテリー出力電圧Ｖｂｏｕｔを印加し、第１ブースタ１１０を使用して第１電圧Ｖ１を生成する。
【００６１】
動作初期において、電圧選択部１２０は、第１電圧Ｖ１が第２ブースタ１３０に印加されるように、第１スイッチング素子ＳＷ１をオン状態にする第１制御信号ＣＳ１を第１スイッチング素子ＳＷ１に印加する。
【００６２】
第２ブースタ１３０は、第１電圧Ｖ１を使用して第１駆動電圧ＶＧＨを生成し、これをゲートドライバ２に印加する。また、第３ブースタ１３０は、バッテリー出力電圧Ｖｂｏｕｔ及び第１駆動電圧ＶＧＨを使用して、第２駆動電圧ＶＧＬを生成し、これをゲートドライバ２に印加する。
【００６３】
ディスプレイパネル３の動作初期には、外部の電源ＩＣ（図示せず）で生成された第１電源電圧ＥＬＶＤＤと第２電源電圧ＥＬＶＳＳとがディスプレイパネル３の各画素回路に同時に印加され、これにより、相当な大きさの突入電流（Ｉｎｒｕｓｈ  ｃｕｒｒｅｎｔ）が発生する。また、第１電源電圧ＥＬＶＤＤを生成する電源ＩＣの特性上、ディスプレイパネル３の動作初期に、第１電源電圧ＥＬＶＤＤには、相当なリップルが発生し、第１電源電圧ＥＬＶＤＤの安定化に相当な時間がかかる。しかし、一定時間が経過すれば、突入電流も除去され、第１電源電圧ＥＬＶＤＤは安定した状態となる。
【００６４】
したがって、スイッチング制御部１２１は、所定の時間が経過した後、すなわち、第１電源電圧ＥＬＶＤＤが安定した状態となるタイミングで、第１電圧Ｖ１の代りに、第１電源電圧ＥＬＶＤＤを第２ブースタ１３０に印加する。
【００６５】
このため、スイッチング制御部１２１は、第１スイッチング素子ＳＷ１には第１スイッチング素子ＳＷ１をオフ状態にする第１制御信号ＣＳ１を印加し、その一方で第２スイッチング素子ＳＷ２には第２スイッチング素子ＳＷ２をオン状態にする第２制御信号ＣＳ２を印加する。
【００６６】
この時、スイッチング制御部１２１で第２ブースタ１３０に印加する電圧の選択を変更する時間またはタイミングは、既定の時間によって決定されうる。例えば、反復的な実験によって、第１電源電圧ＥＬＶＤＤが安定化するタイミングを計算し、計算した結果を既定値として設定し、スイッチング制御部１２１が設定された値に基づいたタイミングによって、第２ブースタ１３０に印加する電圧を変更できる。
【００６７】
あるいは、スイッチング制御部１２１で第２ブースタ１３０に印加する電圧の選択を変更する時間またはタイミングは、変更することもできる。第１電源電圧ＥＬＶＤＤの波形を検知し、検知した第１電源電圧ＥＬＶＤＤの波形が安定化したと判断される時、スイッチング制御部１２１が電圧の選択を第１電圧Ｖ１から第１電源電圧ＥＬＶＤＤに変更でき、このために、電圧の波形を検知する装置を別途に備えうる。
【００６８】
スイッチング制御部１２１が第１電源電圧ＥＬＶＤＤを第２ブースタ１３０に印加する間は、第１電圧Ｖ１を生成する必要がなくなる。したがって、スイッチング制御部１２１が第１電源電圧ＥＬＶＤＤを選択する間は、第１ブースタ１１０をオフ状態として電圧のブースティング動作を中断させる。
【００６９】
一方、ディスプレイパネル３の動作が終了する時には、ディスプレイパネル３の動作開始時と逆のシーケンスが進められうる。すなわち、ディスプレイパネル３の動作が終了するとき、外部の電源ＩＣからディスプレイパネル３に印加された第１電源電圧ＥＬＶＤＤ及び第２電源電圧ＥＬＶＳＳの供給が遮断される。このように、突然の電圧の遮断によって、突入電流が発生しうる。
【００７０】
したがって、ディスプレイパネル３の動作終了時、安定的に終了シーケンスを行うために、電圧選択部１２０は、選択電圧、すなわち、第２ブースタ１３０に印加する電圧を第１電源電圧ＥＬＶＤＤから再び第１電圧Ｖ１に変更する。この時、第１電源電圧ＥＬＶＤＤが第２ブースタ１３０に印加される間は、第１ブースタ１１０がオフ状態に維持されているので、ディスプレイパネル３の動作終了時は、第１ブースタ１１０を再びオン状態に変更する必要がある。
【００７１】
従来の電源ドライバでは、バッテリー１電圧のみを使用してゲートドライバ２の駆動に必要な電圧を生成していた。しかし、バッテリー１の電圧範囲が次第に広くなり、これにより、電源ドライバが内蔵されたドライバＩＣ内で、第１駆動電圧ＶＧＨ及び第２駆動電圧ＶＧＬを生成する効率が低下する。また、ディスプレイパネル３の解像度が高い場合、例えば、ＶＧＡ級以上である場合、内部の電流のダイナミックレンジが大きくて、電源ドライバをドライバＩＣに内蔵できない場合も発生する。
【００７２】
しかし、前記のように、本実施形態による電源ドライバ１００は、ディスプレイパネル３の動作開始時には、バッテリー１の出力電圧Ｖｂｏｕｔを利用して第１ブースタによって生成された第１電圧Ｖ１を使用してゲートドライバ２の駆動に必要な電圧を生成し、一定時間が経過した後には、ディスプレイパネル３に印加される電圧（第１電源電圧ＥＬＶＤＤ及び第２電源電圧ＥＬＶＳＳ）を使用してゲートドライバ２の駆動に必要な電圧を生成する。
【００７３】
これにより、本実施形態による電源ドライバは、次のような利点を有する。
【００７４】
電源ドライバ１００は、バッテリー１の電圧範囲が広くなることと関係なしに、安定的で効率的な第１駆動電圧ＶＧＨをゲートドライバ２に供給できる。また、高画質のディスプレイパネル３の場合にも、ドライバＩＣに電源ドライバ１００が共に内蔵されうる。
【００７５】
画素回路に必要なすべての電圧を同じ電源から生成できるので、リップルノイズによる表示品質の低下を防止できる。
【００７６】
ディスプレイパネル３の動作中に第１ブースタ１１０の動作を中断させることができるので、消費電力を減少させ、ＥＭＩ（ＥｌｅｃｔｒｏＭａｇｎｅｔｉｃ  Ｉｎｔｅｒｆｅｒｅｎｃｅ）が改善する効果がある。
【００７７】
また、ディスプレイパネル３の動作初期または動作終了時には、正常ではない画像が表示されることを防止するために、ブラックデータが表示されねばならないが、この時、時間的に早く安定した電圧を供給できるバッテリー１の出力電圧Ｖｂｏｕｔを使用して、ブラックデータを維持できる。
【００７８】
図４は、本発明の一実施形態による有機発光表示装置を示す図面である。
【００７９】
図４を参照すれば、本実施形態による有機発光表示装置は、第１電源ドライバ１００、第２電源ドライバ２００、バッテリー１、ゲートドライバ２、ディスプレイパネル３、データドライバ４、及びコントローラ５を備える。
【００８０】
第１電源ドライバ１００及び第２電源ドライバ２００は、コントローラ５から制御信号ＳＰ１，ＳＰ２をそれぞれ印加されて、ゲートドライバ２の駆動に必要な電圧や画素回路の駆動に必要な電圧を生成する。
【００８１】
第１電源ドライバ１００は、図１で説明した電源ドライバ１００であり、ゲートドライバ２にゲートドライバ２の駆動に必要な電圧を供給する。具体的には、第１電源ドライバ１００は、第１駆動電圧ＶＧＨ及び第２駆動電圧ＶＧＬをゲートドライバ２に印加する。また、第１電源ドライバ１００は、図示していないが、ガンマ補正用の電圧（ｇａｍｍａ  ｖｏｌｔａｇｅ)をデータドライバ４に印加できる。第１電源ドライバ１００は、ドライバＩＣに内蔵されうる。
【００８２】
第２電源ドライバ２００は、第１電源ドライバ１００と別途に備えられた電源ＩＣである。第２電源ドライバ２００は、ドライバＩＣの外部に別途に備えられ、ディスプレイパネル３に第１電源電圧ＥＬＶＤＤ及び第２電源電圧ＥＬＶＳＳを印加する。また、第２電源ドライバ２００は、第１電源電圧ＥＬＶＤＤを第１電源ドライバ１００に印加する。
【００８３】
バッテリー１は、第１電源ドライバ１００がゲートドライバ２の駆動に必要な電圧を生成できるように電圧を供給する。
【００８４】
ゲートドライバ２は、コントローラ５からの制御信号ＳＧによって、複数の走査ラインＳ［１］．．．Ｓ［ｎ］に走査信号を供給する。走査信号は、走査ラインＳ［１］．．．Ｓ［ｎ］に順次に印加され、前記走査信号に合わせてデータ信号が画素回路３１に印加される。
【００８５】
データドライバ４は、コントローラ５からの制御信号ＳＤによって、複数のデータラインＤ［１］．．．Ｄ［ｍ］にデータ信号を印加する。データラインＤ［１］．．．Ｄ［ｍ］のそれぞれは、データドライバ４の出力端と連結される。
【００８６】
ディスプレイパネル３は、ｎ×ｍ個の画素回路３１、行方向に形成されたｎ個の走査ラインＳ［１］．．．Ｓ［ｎ］、列方向に形成されたｍ個のデータラインＤ［１］．．．Ｄ［ｍ］を含む。走査ラインＳ［１］．．．Ｓ［ｎ］は、画素回路に走査信号を伝達する。また、データラインＤ［１］．．．Ｄ［ｍ］は、画素回路にデータ信号を伝達する。前記ディスプレイパネル３は、有機発光ディスプレイ（ＯＬＥＤ）でありうるが、これに限定されない。
【００８７】
コントローラ５は、有機発光表示装置の各部分の動作を制御する。前記制御のために、コントローラ５は、ゲートドライバ２用制御信号ＳＧ、データドライバ４用制御信号ＳＤ、第１及び第２電源ドライバ１００，２００用制御信号ＳＰ１，ＳＰ２を各部分に印加できる。コントローラ５は、第１電源電圧ＥＬＶＤＤの波形を検知し、検知結果によって、第１電源ドライバ１００が第１電圧Ｖ１または第１電源電圧ＥＬＶＤＤのうちからいずれかの電圧を選択するかを制御できる。
【００８８】
第１電源ドライバ１００及びその周辺構成の動作は、図１の説明で既に詳細に記述したので、ここでは、省略する。
【００８９】
前記のような構成によって、本実施形態による電源ドライバ１００を備える有機発光表示装置は、電源ドライバ１００でバッテリー１の電圧範囲の拡大と関係なく、安定的で効率的な第１駆動電圧ＶＧＨをゲートドライバ２に供給できる。また、ディスプレイパネル３が高画質である場合にも、ドライバＩＣに電源ドライバ１００が共に内蔵されうる。
【００９０】
また、画素回路に必要なすべての電圧を同じ電源から生成できるので、リップルノイズによる表示品質の低下を防止できる。
【００９１】
また、ディスプレイパネル３の動作中に第１ブースタ１１０の動作を中断させることができるので、消費電力を減少させ、ＥＭＩを改善する効果がある。
【００９２】
また、ディスプレイパネル３の動作初期または動作終了時には、正常ではない画像の表示を防止するために、ブラックデータが表示されねばならないが、この時、時間的にに早く安定した電圧を供給できるバッテリー１の出力電圧Ｖｂｏｕｔを使用して、ブラックデータを維持できる。
【００９３】
本発明は、図面に示された実施形態を参照して説明されたが、これは、例示的なものに過ぎず、当業者ならば、これから多様な変形及び均等な他の実施形態が可能であるということが分かるであろう。したがって、本発明の真の技術的保護範囲は、特許請求の範囲の技術的思想によって決定されねばならない。
【産業上の利用可能性】
【００９４】
本発明は、表示装置関連の技術分野に好適に適用可能である。
【符号の説明】
【００９５】
１  バッテリー、
２  ゲートドライバ、
３  ディスプレイパネル、
１００  電源ドライバ、
１１０  第１ブースタ、
１２０  電圧選択部、
１２１  スイッチング制御部、
１３０  第２ブースタ、
１４０  第３ブースタ。
【図１】
2011150283.tif 000003
【図２】
2011150283.tif 000004
【図３】
2011150283.tif 000005
【図４】
2011150283.tif 000006